(57)【要約】【課題】  情報の記録時において磁束漏れが発生することが可能な限り抑制された垂直記録型磁気ヘッドを提供する。【解決手段】  主磁極１３の周囲に下流側シールド１５と共に上流側シールド３２および側方シールド３１ａ，３１ｂを併せて備え、その側方シールド３１ａ，３１ｂが下流側シールド１５および上流側シールド３２の双方に磁気的に連結されているため、下流側シールド１５、上流側シールド３２および側方シールド３１ａ，３１ｂにより主磁極１３が四方から磁気的にシールドされる。情報の記録時において磁束漏れが発生しにくくなる結果、情報の記録時において記録磁界が広がることに起因してフリンジ磁界が発生しにくくなるため、記録ビットが不安定になりにくくなる。【選択図】  図３
2005122887.tif 000002
【特許請求の範囲】
【請求項１】
垂直記録型磁気ヘッドの磁束漏れを抑制する方法であって、
互いに非平行な第１の非平行部分および第２の非平行部分を含み、その第１の非平行部分が平坦な底面を有する下流側シールドとして終端する磁気ヨークを準備する第１のステップと、
前記磁気ヨークの周囲を囲む導電性コイルを準備する第２のステップと、
第１の端縁および第２の端縁を有する主磁極を準備する第３のステップと、
前記主磁極の上流側に配置された再生ヘッドシールドを準備する第４のステップと、
前記主磁極と前記再生ヘッドシールドとの間に上流側シールドを挿入する第５のステップと、
前記主磁極を挟んで互いに対向配置された側方シールドを前記下流側シールドおよび前記上流側シールドの双方に磁気的に連結させる第６のステップと、を含み、
前記第１のステップにおいて、前記下流側シールドが前記主磁極から第１の距離だけ離間され、
前記第３のステップにおいて、前記主磁極が前記第１の端縁において前記磁気ヨークのうちの前記第２の非平行部分に磁気的に連結されることにより、その連結箇所から前記第２の端縁において前記下流側シールドのうちの前記底面と同一面内の底面を有する垂直記録磁極となるように前記主磁極が延在し、
前記第５のステップにおいて、前記上流側シールドが前記主磁極から第２の距離だけ離間されるようにする
ことを特徴とする垂直記録型磁気ヘッドの磁束漏れの抑制方法。
【請求項２】
前記下流側シールドと前記主磁極との間の前記第１の距離が、０．０３μｍ以上０．２μｍ以下の範囲内となるようにする
ことを特徴とする請求項１記載の垂直記録型磁気ヘッドの磁束漏れの抑制方法。
【請求項３】
前記上流側シールドと前記主磁極との間の前記第２の距離が、０．１μｍ以上１．０μｍ以下の範囲内となるようにする
ことを特徴とする請求項１記載の垂直記録型磁気ヘッドの磁束漏れの抑制方法。
【請求項４】
前記側方シールドから上流側への磁束漏れが、１０％未満となるようにする
ことを特徴とする請求項１記載の垂直記録型磁気ヘッドの磁束漏れの抑制方法。
【請求項５】
前記側方シールドから下流側への磁束漏れが、１０％未満となるようにする
ことを特徴とする請求項１記載の垂直記録型磁気ヘッドの磁束漏れの抑制方法。
【請求項６】
前記主磁極から供給される記録磁界が、１２０００×１０3 ／（４π）Ａ／ｍに至るようにする
ことを特徴とする請求項１記載の垂直記録型磁気ヘッドの磁束漏れの抑制方法。
【請求項７】
前記側方シールドが、前記主磁極から０．０５μｍ以上０．２μｍ以下の範囲内だけ離間されるようにする
ことを特徴とする請求項１記載の垂直記録型磁気ヘッドの磁束漏れの抑制方法。
【請求項８】
前記側方シールドが、０．１μｍ以上５．０μｍ以下の範囲内の幅を有するようにする
ことを特徴とする請求項１記載の垂直記録型磁気ヘッドの磁束漏れの抑制方法。
【請求項９】
前記側方シールドが、前記主磁極のうちの前記底面と同一面内の底面を有するようにする
ことを特徴とする請求項１記載の垂直記録型磁気ヘッドの磁束漏れの抑制方法。
【請求項１０】
垂直記録型磁気ヘッドの磁束漏れを抑制する方法であって、
互いに非平行な第１の非平行部分および第２の非平行部分を含み、その第１の非平行部分が平坦な底面を有する下流側シールドとして終端する磁気ヨークを準備する第１のステップと、
前記磁気ヨークの周囲を囲む導電性コイルを準備する第２のステップと、
第１の端縁および第２の端縁を有する主磁極を準備する第３のステップと、
前記主磁極の上流側に配置された再生ヘッドシールドを準備する第４のステップと、
前記主磁極と前記再生ヘッドシールドとの間に上流側シールドを挿入する第５のステップと、
前記主磁極を挟んで互いに対向配置された側方シールドを前記下流側シールドに磁気的に連結させる第６のステップと、を含み、
前記第１のステップにおいて、前記下流側シールドが前記主磁極から第１の距離だけ離間され、
前記第３のステップにおいて、前記主磁極が前記第１の端縁において前記磁気ヨークのうちの前記第２の非平行部分に磁気的に連結されることにより、その連結箇所から前記第２の端縁において前記下流側シールドのうちの前記底面と同一面内の底面を有する垂直記録磁極となるように前記主磁極が延在し、
前記第５のステップにおいて、前記上流側シールドが前記主磁極から第２の距離だけ離間され、
前記第６のステップにおいて、前記側方シールドが少なくとも０．１μｍの厚さを有すると共に前記下流側シールドから前記上流側シールドへ向かって１．０μｍ以内の範囲内まで延在するようにする
ことを特徴とする垂直記録型磁気ヘッドの磁束漏れの抑制方法。
【請求項１１】
前記下流側シールドと前記主磁極との間の前記第１の距離が、０．０３μｍ以上０．２μｍ以下の範囲内となるようにする
ことを特徴とする請求項１０記載の垂直記録型磁気ヘッドの磁束漏れの抑制方法。
【請求項１２】
前記上流側シールドと前記主磁極との間の前記第２の距離が、０．１μｍ以上１．０μｍ以下の範囲内となるようにする
ことを特徴とする請求項１０記載の垂直記録型磁気ヘッドの磁束漏れの抑制方法。
【請求項１３】
前記側方シールドから上流側への磁束漏れが、１０％未満となるようにする
ことを特徴とする請求項１０記載の垂直記録型磁気ヘッドの磁束漏れの抑制方法。
【請求項１４】
前記側方シールドから下流側への磁束漏れが、１０％未満となるようにする
ことを特徴とする請求項１０記載の垂直記録型磁気ヘッドの磁束漏れの抑制方法。
【請求項１５】
前記主磁極から供給される磁界強度が、１２０００×１０3 ／（４π）Ａ／ｍに至るようにする
ことを特徴とする請求項１０記載の垂直記録型磁気ヘッドの磁束漏れの抑制方法。
【請求項１６】
前記側方シールドが、前記主磁極から０．０５μｍ以上０．２μｍ以下の範囲内だけ離間されるようにする
ことを特徴とする請求項１０記載の垂直記録型磁気ヘッドの磁束漏れの抑制方法。
【請求項１７】
前記側方シールドが、０．１μｍ以上５．０μｍ以下の範囲内の幅を有するようにする  ことを特徴とする請求項１０記載の垂直記録型磁気ヘッドの磁束漏れの抑制方法。
【請求項１８】
前記側方シールドが、前記主磁極のうちの前記底面と同一面内の底面を有するようにする
ことを特徴とする請求項１０記載の垂直記録型磁気ヘッドの磁束漏れの抑制方法。
【請求項１９】
互いに非平行な第１の非平行部分および第２の非平行部分を含み、その第１の非平行部分が平坦な底面を有する下流側シールドとして終端する磁気ヨークと、
前記磁気ヨークの周囲を囲む導電性コイルと、
第１の端縁および第２の端縁を有する主磁極と、
前記主磁極の上流側に配置された再生ヘッドシールドと、
前記主磁極と前記再生ヘッドシールドとの間に挿入された上流側シールドと、
前記主磁極を挟んで互いに対向配置され、前記下流側シールドおよび前記上流側シールドの双方に磁気的に連結された側方シールドと、を備え、
前記下流側シールドが前記主磁極から第１の距離だけ離間し、
前記主磁極が前記第１の端縁において前記磁気ヨークのうちの前記第２の非平行部分に磁気的に連結することにより、その連結箇所から前記第２の端縁において前記下流側シールドのうちの前記底面と同一面内の底面を有する垂直記録磁極となるように前記主磁極が延在し、
前記上流側シールドが前記主磁極から第２の距離だけ離間している
ことを特徴とする垂直記録型磁気ヘッド。
【請求項２０】
前記下流側シールドと前記主磁極との間の前記第１の距離が、０．０３μｍ以上０．２μｍ以下の範囲内である
ことを特徴とする請求項１９記載の垂直記録型磁気ヘッド。
【請求項２１】
前記上流側シールドと前記主磁極との間の前記第２の距離が、０．１μｍ以上１．０μｍ以下の範囲内である
ことを特徴とする請求項１９記載の垂直記録型磁気ヘッド。
【請求項２２】
前記側方シールドから上流側への磁束漏れが、１０％未満である
ことを特徴とする請求項１９記載の垂直記録型磁気ヘッド。
【請求項２３】
前記側方シールドから下流側への磁束漏れが、１０％未満である
ことを特徴とする請求項１９記載の垂直記録型磁気ヘッド。
【請求項２４】
前記主磁極から供給される磁界強度が、１２０００×１０3 ／（４π）Ａ／ｍに至る
ことを特徴とする請求項１９記載の垂直記録型磁気ヘッド。
【請求項２５】
前記側方シールドが、前記主磁極から０．０５μｍ以上０．２μｍ以下の範囲内だけ離間している
ことを特徴とする請求項１９記載の垂直記録型磁気ヘッド。
【請求項２６】
前記側方シールドが、０．１μｍ以上５．０μｍ以下の範囲内の幅を有している
ことを特徴とする請求項１９記載の垂直記録型磁気ヘッド。
【請求項２７】
前記側方シールドが、前記主磁極のうちの前記底面と同一面内の底面を有している
ことを特徴とする請求項１９記載の垂直記録型磁気ヘッド。
【請求項２８】
互いに非平行な第１の非平行部分および第２の非平行部分を含み、その第１の非平行部分が平坦な底面を有する下流側シールドとして終端する磁気ヨークと、
前記磁気ヨークの周囲を囲む導電性コイルと、
第１の端縁および第２の端縁を有する主磁極と、
前記主磁極の上流側に配置された再生ヘッドシールドと、
前記主磁極と前記再生ヘッドシールドとの間に挿入された上流側シールドと、
前記主磁極を挟んで互いに対向配置され、前記下流側シールドに磁気的に連結された側方シールドと、を備え、
前記下流側シールドが前記主磁極から第１の距離だけ離間し、
前記主磁極が前記第１の端縁において前記磁気ヨークのうちの前記第２の非平行部分に磁気的に連結することにより、その連結箇所から前記第２の端縁において前記下流側シールドのうちの前記底面と同一面内の底面を有する垂直記録磁極となるように前記主磁極が延在し、
前記上流側シールドが前記主磁極から第２の距離だけ離間し、
前記側方シールドが少なくとも０．１μｍの厚さを有すると共に前記下流側シールドから前記上流側シールドへ向かって１．０μｍ以内の範囲内まで延在している
ことを特徴とする垂直記録型磁気ヘッド。
【請求項２９】
前記下流側シールドと前記主磁極との間の前記第１の距離が、０．０３μｍ以上０．２μｍ以下の範囲内である
ことを特徴とする請求項２８記載の垂直記録型磁気ヘッド。
【請求項３０】
前記上流側シールドと前記主磁極との間の前記第２の距離が、０．１μｍ以上１．０μｍ以下の範囲内である
ことを特徴とする請求項２８記載の垂直記録型磁気ヘッド。
【請求項３１】
前記側方シールドから上流側への磁束漏れが、１０％未満である
ことを特徴とする請求項２８記載の垂直記録型磁気ヘッド。
【請求項３２】
前記側方シールドから下流側への磁束漏れが、１０％未満である
ことを特徴とする請求項２８記載の垂直記録型磁気ヘッド。
【請求項３３】
前記主磁極から供給される記録磁界が、１２０００×１０3 ／（４π）Ａ／ｍに至る
ことを特徴とする請求項２８記載の垂直記録型磁気ヘッド。
【請求項３４】
前記側方シールドが、前記主磁極から０．０５μｍ以上０．２μｍ以下の範囲内だけ離間している
ことを特徴とする請求項２８記載の垂直記録型磁気ヘッド。
【請求項３５】
前記側方シールドが、０．１μｍ以上５．０μｍ以下の範囲内の幅を有している
ことを特徴とする請求項２８記載の垂直記録型磁気ヘッド。
【請求項３６】
前記側方シールドが、前記主磁極ののうちの前記底面と同一面内の底面を有している。
ことを特徴とする請求項２８記載の垂直記録型磁気ヘッド。
【発明の詳細な説明】
【技術分野】
【０００１】
本発明は、垂直記録型磁気ヘッドの磁束漏れを抑制する垂直記録型磁気ヘッドの磁束漏れの抑制方法、ならびに垂直記録型磁気ヘッドに関する。
【背景技術】
【０００２】
垂直磁気記録（ＰＭＲ；Perpendicular Magnetic Recording）は、磁気記録分野の将来において極めて重要である。なぜなら、ＰＭＲでは、現行の長手磁気記録（ＬＭＲ；Lateral Magnetic Recording）と比較して、高い面記録密度が得られるからである。このことは、ＰＭＲ方式で使用されるメディア（Ｐメディア）がＬＭＲ方式で使用されるメディアよりも熱的に安定であるという事実に基づいている。
【０００３】
現在のところ、ＬＭＲの面記録密度は研究レベルにおいて約１００Ｇｂｐｓｉ（Ｇｂ／（ｉｎｃｈ）2 ）に達しており、市場では約６０Ｇｂｓｉ以上の面記録密度を有する製品が流通している。このＬＭＲの面記録密度をさらに向上させるためには、主に、２つの重要な問題点を改善しなければならない。すなわち、１つ目の問題点は、ＬＭＲ方式で使用されるメディアが熱的に不安定なことである。このメディアの熱的安定性に関する問題は、熱エネルギーに起因して記録ビットがランダム化される程度までメディアが薄くなると生じやすくなる。また、２つ目の問題点は、高保磁力を有するＬＭＲ方式のメディアに情報を磁気的に記録する上で、記録磁界の強度が不十分なことである。ＬＭＲでは、記録ギャップからフリンジ磁界が生じてしまうため、記録磁界の強度の観点において問題がある。なお、上記したＬＭＲ方式の高保磁力特性は、高ビット解像度を確保すると共に、良好な熱的安定性を併せて確保するために必要である。
【０００４】
ＬＭＲに関して上記した２つの問題点は、記録方式としてＬＭＲに代えてＰＭＲを採用することにより改善される。すなわち、１つ目の問題点に関して、ＰＭＲ方式で使用されるＰメディア、すなわち軟磁性下地層（ＳＵＬ；Soft magnetic Underlayer）を備えた厚いメディアは熱的に安定であるため、上記したメディアの熱的安定性に関する問題が改善される。また、２つ目の問題点に関して、ＰＭＲでは、ＬＭＲと比較して記録磁界の強度が大きくなるため、上記した記録磁界の強度に関する問題が改善される。
【０００５】
このＰＭＲ方式の磁気ヘッド（以下、単に「垂直記録型磁気ヘッド」という。）に関しては、既にいくつかの構造例が知られている。具体的には、例えば、Mallory は、下流側シールドを備えた垂直記録型磁気ヘッドを提案している（例えば、特許文献１参照。）。また、例えば、Imamura 等は、下流側シールドおよび上流側シールドの双方を備えた垂直記録型磁気ヘッドを提案している（例えば、特許文献２参照。）。また、例えば、Das は、側方シールドを備えた垂直記録型磁気ヘッドを提案している（例えば、特許文献３参照。）。さらに、Gill等は、積層型シールドを備えた垂直記録型磁気ヘッドを提案している（例えば、特許文献４，５参照。）。
【特許文献１】米国特許第４６５６５４６号明細書
【特許文献２】米国特許第５００３４２３号明細書
【特許文献３】米国特許第５０７５９５６号明細書
【特許文献４】米国特許第５６２１５９２号明細書
【特許文献５】米国特許第５５１５２２１号明細書
【０００６】
図８は、従来の垂直記録型磁気ヘッドの断面構成を表している。この垂直記録型磁気ヘッドは、再生ヘッドシールド１１８および再生ヘッド１１９を含み、再生処理を実行する再生ヘッド部１００Ａと、磁気ヨーク１１１、磁界コイル１１２および主磁極１１３を含み、記録処理を実行する記録ヘッド部１００Ｂとを備えている。なお、図８では、垂直記録型磁気ヘッドと共に、その垂直記録型磁気ヘッドにより情報が磁気的に記録されるメディア２００を併せて示している。
【０００７】
再生ヘッド部１００Ａでは、再生ヘッド１１９が、２つの再生ヘッドシールド１１８により挟まれるように配置されている。
【０００８】
記録ヘッド部１００Ｂでは、磁気ヨーク１１１が、リターンポール１１４および下流側シールド１１５を含んでおり、その磁気ヨーク１１１が、一端側において主磁極１１３に磁気的に連結されると共に他端側（下流側シールド１１５）において主磁極１１３からギャップｇ１を隔てて離間されることにより、主磁極１１３と共に磁気回路を構成している。なお、磁気ヨーク１１１（リターンポール１１４，下流側シールド１１５）および主磁極１１３は、いずれもメディア２００の記録面から距離ｓだけ離間されている。磁界コイル１１２は、磁気ヨーク１１１の周囲を部分的に囲んでいる。
【０００９】
なお、メディア２００は、ＳＵＬ１１６および記録層１１７が積層された積層構造を有している。
【発明の開示】
【発明が解決しようとする課題】
【００１０】
ところで、従来の垂直記録型磁気ヘッドでは、情報の記録時において磁束漏れが発生しやすく、すなわち記録磁界の広がりに起因してフリンジ磁界が発生しやすいため、記録ビットが不安定になりやすいという問題があった。この問題を改善する１つの手法としては、例えば、図８に示したように、垂直記録型磁気ヘッドに下流側シールド１１５を導入する手法が考えられる。この下流側シールド１１５を備えた垂直記録型磁気ヘッドでは、主磁極１１３からギャップｇ１を隔てて下流側シールド１１５が配置されているため、メディアから環流される磁束（リターン磁束）の総量が減少する。しかしながら、従来の垂直記録型磁気ヘッドでは、上記した記録ビットの不安定化に関する問題が十分に改善されているとは言いがたいため、その問題を十分に改善する観点において未だ改善の余地があった。
【００１１】
本発明はかかる問題点に鑑みてなされたもので、その第１の目的は、情報の記録時において磁束漏れが発生することを可能な限り抑制することが可能な垂直記録型磁気ヘッドの磁束漏れの抑制方法を提供することにある。
【００１２】
また、本発明の第２の目的は、情報の記録時において磁束漏れが発生することが可能な限り抑制された垂直記録型磁気ヘッドを提供することにある。
【課題を解決するための手段】
【００１３】
本発明の第１の観点に係る垂直記録型磁気ヘッドの磁束漏れの抑制方法は、垂直記録型磁気ヘッドの磁束漏れを抑制する方法であり、互いに非平行な第１の非平行部分および第２の非平行部分を含み、その第１の非平行部分が平坦な底面を有する下流側シールドとして終端する磁気ヨークを準備する第１のステップと、磁気ヨークの周囲を囲む導電性コイルを準備する第２のステップと、第１の端縁および第２の端縁を有する主磁極を準備する第３のステップと、主磁極の上流側に配置された再生ヘッドシールドを準備する第４のステップと、主磁極と再生ヘッドシールドとの間に上流側シールドを挿入する第５のステップと、主磁極を挟んで互いに対向配置された側方シールドを下流側シールドおよび上流側シールドの双方に磁気的に連結させる第６のステップとを含み、第１のステップにおいて、下流側シールドが主磁極から第１の距離だけ離間され、第３のステップにおいて、主磁極が第１の端縁において磁気ヨークのうちの第２の非平行部分に磁気的に連結されることにより、その連結箇所から第２の端縁において下流側シールドのうちの底面と同一面内の底面を有する垂直記録磁極となるように主磁極が延在し、第５のステップにおいて、上流側シールドが主磁極から第２の距離だけ離間されるようにしたものである。
【００１４】
本発明の第１の観点に係る垂直記録型磁気ヘッドの磁束漏れの抑制方法では、主磁極の周囲に下流側シールドと共に上流側シールドおよび側方シールドを併せて設け、その側方シールドを下流側シールドおよび上流側シールドの双方に磁気的に連結させたため、下流側シールド、上流側シールドおよび側方シールドにより主磁極が四方から囲まれることにより、その主磁極が四方から磁気的にシールドされる。これにより、情報の記録時において磁束漏れが発生しにくくなる結果、情報の記録時において記録磁界が広がることに起因してフリンジ磁界が発生しにくくなるため、記録ビットが不安定になりにくくなる。
【００１５】
本発明の第２の観点に係る垂直記録型磁気ヘッドの磁束漏れの抑制方法は、垂直記録型磁気ヘッドの磁束漏れを抑制する方法であり、互いに非平行な第１の非平行部分および第２の非平行部分を含み、その第１の非平行部分が平坦な底面を有する下流側シールドとして終端する磁気ヨークを準備する第１のステップと、磁気ヨークの周囲を囲む導電性コイルを準備する第２のステップと、第１の端縁および第２の端縁を有する主磁極を準備する第３のステップと、主磁極の上流側に配置された再生ヘッドシールドを準備する第４のステップと、主磁極と再生ヘッドシールドとの間に上流側シールドを挿入する第５のステップと、主磁極を挟んで互いに対向配置された側方シールドを下流側シールドに磁気的に連結させる第６のステップとを含み、第１のステップにおいて、下流側シールドが主磁極から第１の距離だけ離間され、第３のステップにおいて、主磁極が第１の端縁において磁気ヨークのうちの第２の非平行部分に磁気的に連結されることにより、その連結箇所から第２の端縁において下流側シールドのうちの底面と同一面内の底面を有する垂直記録磁極となるように主磁極が延在し、第５のステップにおいて、上流側シールドが主磁極から第２の距離だけ離間され、第６のステップにおいて、側方シールドが少なくとも０．１μｍの厚さを有すると共に下流側シールドから上流側シールドへ向かって１．０μｍ以内の範囲内まで延在するようにしたものである。
【００１６】
本発明の第２の観点に係る垂直記録型磁気ヘッドの磁束漏れの抑制方法では、主磁極の周囲に下流側シールドと共に上流側シールドおよび側方シールドを併せて設け、その側方シールドを下流側シールドに磁気的に連結させたため、下流側シールド、上流側シールドおよび側方シールドにより主磁極が四方から囲まれることにより、その主磁極が四方から磁気的にシールドされる。これにより、情報の記録時において磁束漏れが発生しにくくなる結果、情報の記録時において記録磁界が広がることに起因してフリンジ磁界が発生しにくくなるため、記録ビットが不安定になりにくくなる。
【００１７】
本発明の第１の観点に係る垂直記録型磁気ヘッドは、互いに非平行な第１の非平行部分および第２の非平行部分を含み、その第１の非平行部分が平坦な底面を有する下流側シールドとして終端する磁気ヨークと、磁気ヨークの周囲を囲む導電性コイルと、第１の端縁および第２の端縁を有する主磁極と、主磁極の上流側に配置された再生ヘッドシールドと、主磁極と再生ヘッドシールドとの間に挿入された上流側シールドと、主磁極を挟んで互いに対向配置され、下流側シールドおよび上流側シールドの双方に磁気的に連結された側方シールドとを備え、下流側シールドが主磁極から第１の距離だけ離間し、主磁極が第１の端縁において磁気ヨークのうちの第２の非平行部分に磁気的に連結することにより、その連結箇所から第２の端縁において下流側シールドのうちの底面と同一面内の底面を有する垂直記録磁極となるように主磁極が延在し、上流側シールドが主磁極から第２の距離だけ離間しているものである。
【００１８】
本発明の第１の観点に係る垂直記録型磁気ヘッドでは、主磁極の周囲に下流側シールドと共に上流側シールドおよび側方シールドを併せて備え、その側方シールドが下流側シールドおよび上流側シールドの双方に磁気的に連結されているため、下流側シールド、上流側シールドおよび側方シールドにより主磁極が四方から囲まれることにより、その主磁極が四方から磁気的にシールドされる。これにより、情報の記録時において磁束漏れが発生しにくくなる結果、情報の記録時において記録磁界が広がることに起因してフリンジ磁界が発生しにくくなるため、記録ビットが不安定になりにくくなる。
【００１９】
本発明の第２の観点に係る垂直記録型磁気ヘッドは、互いに非平行な第１の非平行部分および第２の非平行部分を含み、その第１の非平行部分が平坦な底面を有する下流側シールドとして終端する磁気ヨークと、磁気ヨークの周囲を囲む導電性コイルと、第１の端縁および第２の端縁を有する主磁極と、主磁極の上流側に配置された再生ヘッドシールドと、主磁極と再生ヘッドシールドとの間に挿入された上流側シールドと、主磁極を挟んで互いに対向配置され、下流側シールドに磁気的に連結された側方シールドとを備え、下流側シールドが主磁極から第１の距離だけ離間し、主磁極が第１の端縁において磁気ヨークのうちの第２の非平行部分に磁気的に連結することにより、その連結箇所から第２の端縁において下流側シールドのうちの底面と同一面内の底面を有する垂直記録磁極となるように主磁極が延在し、上流側シールドが主磁極から第２の距離だけ離間し、側方シールドが少なくとも０．１μｍの厚さを有すると共に下流側シールドから上流側シールドへ向かって１．０μｍ以内の範囲内まで延在しているものである。
【００２０】
本発明の第２の観点に係る垂直記録型磁気ヘッドでは、主磁極の周囲に下流側シールドと共に上流側シールドおよび側方シールドを併せて備え、その側方シールドが下流側シールドに磁気的に連結されているため、下流側シールド、上流側シールドおよび側方シールドにより主磁極が四方から囲まれることにより、その主磁極が四方から磁気的にシールドされる。これにより、情報の記録時において磁束漏れが発生しにくくなる結果、情報の記録時において記録磁界が広がることに起因してフリンジ磁界が発生しにくくなるため、記録ビットが不安定になりにくくなる。
【００２１】
なお、本発明の第１または第２の観点に係る垂直記録型磁気ヘッドの磁束漏れの抑制方法、あるいは第１または第２の観点に係る垂直記録型磁気ヘッドでは、下流側シールドと主磁極との間の第１の距離が０．０３μｍ以上０．２μｍ以下の範囲内であり、上流側シールドと主磁極との間の第２の距離が０．１μｍ以上１．０μｍ以下の範囲内であるのが好ましい。また、側方シールドが、主磁極から０．０５μｍ以上０．２μｍ以下の範囲内だけ離間し、０．１μｍ以上５．０μｍ以下の範囲内の幅を有し、主磁極のうちの底面と同一面内の底面を有するのが好ましい。この場合には、側方シールドから上流側への磁束漏れが１０％未満となり、側方シールドから下流側への磁束漏れが１０％未満となり、主磁極から供給される記録磁界が１２０００×１０3 ／（４π）Ａ／ｍに至る。
【発明の効果】
【００２２】
本発明の第１の観点に係る垂直記録型磁気ヘッドの磁束漏れの抑制方法によれば、主磁極の周囲に下流側シールドと共に上流側シールドおよび側方シールドを併せて設け、その側方シールドを下流側シールドおよび上流側シールドの双方に磁気的に連結させた方法的特徴に基づき、下流側シールド、上流側シールドおよび側方シールドにより主磁極が四方から磁気的にシールドされるため、情報の記録時において磁束漏れが発生しにくくなる。したがって、情報の記録時において記録磁界が広がることに起因してフリンジ磁界が発生しにくくなる結果、記録ビットが不安定になりにくくなるため、情報の記録時において磁束漏れが発生することを可能な限り抑制することができる。
【００２３】
本発明の第２の観点に係る垂直記録型磁気ヘッドの磁束漏れの抑制方法によれば、主磁極の周囲に下流側シールドと共に上流側シールドおよび側方シールドを併せて設け、その側方シールドを下流側シールドに磁気的に連結させた方法的特徴に基づき、下流側シールド、上流側シールドおよび側方シールドにより主磁極が四方から磁気的にシールドされるため、情報の記録時において磁束漏れが発生しにくくなる。したがって、情報の記録時において記録磁界が広がることに起因してフリンジ磁界が発生しにくくなる結果、記録ビットが不安定になりにくくなるため、情報の記録時において磁束漏れが発生することを可能な限り抑制することができる。
【００２４】
本発明の第１の観点に係る垂直記録型磁気ヘッドによれば、主磁極の周囲に下流側シールドと共に上流側シールドおよび側方シールドを併せて備え、その側方シールドが下流側シールドおよび上流側シールドの双方に磁気的に連結されている構造的特徴に基づき、下流側シールド、上流側シールドおよび側方シールドにより主磁極が四方からシールドされるため、情報の記録時において磁束漏れが発生しにくくなる。したがって、情報の記録時において記録磁界が広がることに起因してフリンジ磁界が発生しにくくなる結果、記録ビットが不安定になりにくくなるため、情報の記録時において磁束漏れが発生することを可能な限り抑制することができる。
【００２５】
本発明の第２の観点に係る垂直記録型磁気ヘッドによれば、主磁極の周囲に下流側シールドと共に上流側シールドおよび側方シールドを併せて備え、その側方シールドが下流側シールドに磁気的に連結されている構造的特徴に基づき、下流側シールド、上流側シールドおよび側方シールドにより主磁極が四方からシールドされるため、情報の記録時において磁束漏れが発生しにくくなる。したがって、情報の記録時において記録磁界が広がることに起因してフリンジ磁界が発生しにくくなる結果、記録ビットが不安定になりにくくなるため、情報の記録時において磁束漏れが発生することを可能な限り抑制することができる。
【発明を実施するための最良の形態】
【００２６】
以下、本発明の実施の形態について、図面を参照して詳細に説明する。
【００２７】
［第１の実施の形態］
まず、図１を参照して、本発明の第１の実施の形態に係る垂直記録型磁気ヘッドについて説明する。図１は、本実施の形態に係る垂直記録型磁気ヘッドの断面構成（ＹＺ面に沿った断面構成）の概略を表している。なお、本発明の「垂直記録型磁気ヘッドの磁束漏れの抑制方法」は、本実施の形態に係る垂直記録型磁気ヘッドの構成に基づいて実現されるため、その「垂直記録型磁気ヘッドの磁束漏れの抑制方法」については、以下で併せて説明する。
【００２８】
この垂直記録型磁気ヘッドは、例えば、図１に示したように、再生処理を実行する再生ヘッド部１０Ａと、記録処理を実行する記録ヘッド部１０Ｂとの双方を備え、これらの再生ヘッド部１０Ａおよび記録ヘッド部１０Ｂが積層された構成を有する複合タイプの磁気ヘッドである。なお、図１では、垂直記録型磁気ヘッドと共に、その垂直記録型磁気ヘッドにより情報が磁気的に記録されるメディア２０を併せて示している。
【００２９】
再生ヘッド部１０Ａは、例えば、再生ヘッドシールド１８と、再生ヘッド１９とを含んで構成されている。この再生ヘッド部１０Ａでは、例えば、再生ヘッド１９が、２つの再生ヘッドシールド１８により挟まれるように配置されている。
【００３０】
再生ヘッドシールド１８は、再生ヘッド１９を周辺から磁気的にシールドするものであり、例えば、上記したように、再生ヘッド１９の上流側および下流側に２つ配置されている。この「上流側」とは、図１を参照すると、メディア２０が垂直記録型磁気ヘッドに対して矢印Ｍの方向（メディア進行方向Ｍ）に移動する状態を１つの流れと見た場合に、その流れの上流側であり、具体的には図１中の左側をいう。一方、「下流側」とは、上記した流れの下流側であり、具体的には図１中の右側をいう。これらの「上流側」および「下流側」の意味するところは、後述する図３においても同様である。
【００３１】
再生ヘッド１９は、磁気抵抗効果を利用して再生処理を実行するものであり、例えば、巨大磁気抵抗（Giant Mgnetic Resistive ）効果を利用して再生処理を実行するＧＭＲヘッドである。
【００３２】
記録ヘッド部１０Ｂは、主に、磁気ヨーク１１、磁界コイル１２および主磁極１３を含んで構成されている。この記録ヘッド部１０Ｂでは、磁気ヨーク１１がリターンポール１４を含んでいる。なお、磁気ヨーク１１は、上記したリターンポール１４と共に、下流側シールド１５（図１では図示せず、図２および図３参照。）を併せて含んでおり、記録ヘッド部１０Ｂは、上記した磁気ヨーク１１、磁界コイル１２および主磁極１３と共に、側方シールド３１ａ，３１ｂおよび上流側シールド３２（いずれも図１では図示せず、図２および図３参照。）を併せて含んでいる。
【００３３】
磁気ヨーク１１は、互いに非平行な第１の非平行部分および第２の非平行部分を含んで構成されている。この磁気ヨーク１１は、上記したように、リターンポール１４を含んでいると共に、上記した第１の非平行部分として下流側シールド１５を併せて含んでいる。このリターンポール１４は、主磁極１３から放出されることにより記録処理に利用された磁束を環流させるものであり、再生ヘッド部１０Ａから遠い側においてメディア２０の記録面（後述する記録層１７の表面）と交差する方向に延在している。このリターンポール１４は、メディア２０に対向するエアベアリング面３０において終端しており、そのメディア２０の記録面から距離ｓだけ離間されている。なお、下流側シールド１５の構成については、後述する。
【００３４】
磁界コイル１２は、記録用の磁束を発生させる導電性コイルであり、磁気ヨーク１１の周囲を部分的に囲むように配設されている。
【００３５】
主磁極１３は、垂直記録磁極として機能することにより垂直記録方式の記録処理を実行するものであり、再生ヘッド部１０Ａに近い側においてメディア２０の記録面と交差する方向に延在している。この主磁極１３は、一方側の端縁（第１の端縁）において磁気ヨーク１１に磁気的に連結されていると共に、他方側の端縁（第２の端縁）においてエアベアリング面３０において終端している。すなわち、主磁極１３は、磁気ヨーク１１に磁気的に連結された連結箇所からエアベアリング面３０に露出した平坦な底面を有するように延在しており、メディア２０の記録面から距離ｓだけ離間されている。
【００３６】
なお、メディア２０は、例えば、垂直記録型磁気ヘッドから遠い側から順にＳＵＬ１６および記録層１７が積層された積層構造を有している。このメディア２０では、記録面、すなわち記録層１７の表面に情報が磁気的に記録されるようになっている。
【００３７】
次に、図１〜図３を参照して、垂直記録型磁気ヘッドの詳細な構成について説明する。図２および図３は主磁極１３の近傍構造の構成を拡大して表しており、図２は図１に示した方向Ｄ（Ｚ軸方向）から見た平面構成（ＸＹ面に沿った平面構成）を示し、図３はエアベアリング面３０に平行な断面構成（ＸＺ面に沿った断面構成）を示している。
【００３８】
図２および図３に示したように、主磁極１３は、ＸＹ面内においてＹ軸方向に延在しており、磁気ヨーク１１のうちの下流側シールド１５は、主磁極１３が延在している面（ＸＹ面）の下流側の面（ＸＹ面）内において延在している。この下流側シールド１５は、図２に示したように、主磁極１３のうちの底面と同一面内の底面を有しており、すなわちエアベアリング面３０に露出した平坦な底面を有している。特に、下流側シールド１５は、図３に示したように、主磁極１３から所定の距離（第１の距離）だけ離間されており、その距離（下流側シールド１５と主磁極１３との間の距離）は、約０．０３μｍ〜０．２μｍの範囲内である。なお、下流側シールド１５は、例えば、磁気ヨーク１１から離間されていてもよいし、あるいは磁気ヨーク１１（例えばリターンポール１４など）に磁気的に連結されていてもよい。
【００３９】
主磁極１３の上流側、すなわち主磁極１３と再生ヘッドシールド１８（主磁極１３に近い側の再生ヘッドシールド１８）との間には、図２および図３に示したように、上流側シールド３２が挿入されている。この上流側シールド３２は、例えば、下流側シールド１５と平行に延在しており、すなわち主磁極１３が延在している面（ＸＹ面）の上流側の面（ＸＹ面）内において延在している。特に、上流側シールド３２は、図３に示したように、主磁極１３から所定の距離（第２の距離）だけ離間されており、その距離（上流側シールド１５と主磁極１３との間の距離）は、約０．１μｍ〜１．０μｍの範囲内である。
【００４０】
主磁極１３の側方、すなわち主磁極１３の左側方および右側方には、図２および図３に示したように、その主磁極１３を挟んで互いに対向配置されるように側方シールド３１ａ，３１ｂが設けられており、これらの側方シールド３１ａ，３１ｂは、下流側シールド１５および上流側シールド３２の双方に磁気的に連結されている。側方シールド３１ａ，３１ｂは、図２に示したように、主磁極１３のうちの底面と同一面内の底面を有しており、すなわちエアベアリング面３０に露出した平坦な底面を有している。特に、側方シールド３１ａ，３１ｂは、図３に示したように、主磁極１３から約０．０５μｍ〜０．２μｍの範囲内だけ離間されていると共に、約０．１μｍ〜５．０μｍの範囲内の幅を有している。なお、「幅」とは、図３に示したＹ軸方向の寸法である。
【００４１】
図１〜図３に示した垂直記録型磁気ヘッドでは、情報の記録時において、メディア２０の記録面に対向配置された状態において磁界コイル１２が通電されると、その磁界コイル１２において記録用の磁束が発生する。そして、記録用の磁束が磁気ヨーク１１のうちの主磁極１３からメディア２０へ向けて放出されると、その磁束がメディア２０のうちの記録層１７およびＳＵＬ１６を経由したのち、磁気ヨーク１１のうちのリターンポール１４へ環流する。この際、記録用の磁束に基づいて記録用の記録磁界（垂直磁界）が発生し、その垂直磁界によりメディア２０の記録面がその表面と直交する方向に磁化されるため、メディア２０の記録層１７に情報が磁気的に記録される。
【００４２】
この垂直記録型磁気ヘッドでは、特に、下流側シールド１５、上流側シールド３２および側方シールド３１ａ，３１ｂにより主磁極１３が四方から周囲を囲まれているため、情報の記録時において下流側シールド１５、上流側シールド３２および側方シールド３１ａ，３１ｂにより主磁極１３が四方から磁気的にシールドされる。これにより、情報の記録時において磁束漏れが発生しにくくなり、すなわち記録磁界の広がりに起因してフリンジ磁界が発生しにくくなるため、側方シールド３１ａ，３１ｂから上流側への磁束漏れが約１０％未満となり、かつ側方シールド３１ａ，３１ｂから下流側への磁束漏れが約１０％未満となると共に、主磁極１３から供給される記録磁界が約１２０００×１０3 ／（４π）Ａ／ｍ（＝約１２ｋＯｅ）に至る。
【００４３】
本実施の形態に係る垂直記録型磁気ヘッドでは、主磁極１３の周囲に下流側シールド１５と共に上流側シールド３２および側方シールド３１ａ，３１ｂを併せて備え、その側方シールド３１ａ，３１ｂが下流側シールド１５および上流側シールド３２の双方に磁気的に連結されているので、下流側シールド１５、上流側シールド３２および側方シールド３１ａ，３１ｂにより主磁極１３が四方から囲まれる。この場合には、下流側シールド１５、上流側シールド３２および側方シールド３１ａ，３１ｂにより主磁極１３が四方から磁気的にシールドされることに基づき、下流側シールド１１５により主磁極１１３が下流側のみから磁気的にシールドされる従来の垂直記録型磁気ヘッド（図８参照）と比較して、情報の記録時において磁束漏れが発生しにくくなる。これにより、情報の記録時において記録磁界が広がることに起因してフリンジ磁界が発生しにくくなるため、記録ビットが不安定になりにくくなる。したがって、本実施の形態では、情報の記録時において磁束漏れが発生することを可能な限り抑制することができる。
【００４４】
また、本実施の形態に係る垂直記録型磁気ヘッドの磁束漏れの抑制方法では、主磁極１３の周囲に下流側シールド１５と共に上流側シールド３２および側方シールド３１ａ，３１ｂを併せて設け、その側方シールド３１ａ，３１ｂを下流側シールド１５および上流側シールド３２の双方に磁気的に連結させるようにしたので、上記したように、情報の記録時において磁束漏れが発生しにくくなる。したがって、情報の記録時において記録磁界が広がることに起因してフリンジ磁界が発生しにくくなる結果、記録ビットが不安定になりにくくなるため、情報の記録時において磁束漏れが発生することを可能な限り抑制することができる。
【００４５】
なお、本実施の形態では、側方シールド３１ａ，３１ｂが下流側シールド１５および上流側シールド３２の双方に磁気的に連結されるようにしたが、必ずしもこれに限られるものではなく、例えば、下流側シールド１５および上流側シールド３２のそれぞれの厚さが側方シールド３１ａ，３１ｂの厚さよりも大きく、すなわち下流側シールド１５および上流側シールド３２のいずれもが十分な磁気的シールド機能を有する場合には、側方シールド３１ａ，３１ｂが下流側シールド１５および上流側シールド３２のいずれにも磁気的に連結されないようにしてもよい。この場合においても、下流側シールド１５および上流側シールド３２のそれぞれの磁気的シールド機能に基づいて主磁極１３が磁気的に十分にシールドされるため、上記実施の形態とほぼ同様の効果を得ることができる。
【００４６】
［第２の実施の形態］
次に、本発明の第２の実施の形態について説明する。
【００４７】
図４は、本実施の形態に係る垂直記録型磁気ヘッドの断面構成（ＸＺ面に沿った断面構成）を表しており、図３に対応している。本実施の形態に係る垂直記録型磁気ヘッドは、図４に示した主要部の断面構成が異なる点を除き、上記第１の実施の形態において説明した垂直記録型磁気ヘッド（図１〜図３参照）と同様の構成している。なお、図４では、上記第１の実施の形態において説明した構成要素と同一の構成要素に同一の符号を付していると共に、図３に示していた再生ヘッドシールド１８および再生ヘッド１９の図示を省略している。
【００４８】
この垂直記録型磁気ヘッドでは、図４に示したように、記録ヘッド部１０Ｂが下流側シールド１５および上流側シールド３２と共に側方シールド３１ａ，３１ｂを併せて含んでいた上記第１の実施の形態の垂直記録型磁気ヘッドとは異なり、記録ヘッド部１０Ｂが下流側シールド１５および上流側シールド３２と共に２つの側方シールド５１を含んでいる。この側方シールド５１は、下流側シールド１５および上流側シールド３２の双方に連結されていた側方シールド３１ａ，３１ｂとは異なり、下流側シールド１５のみに連結されている一方で上流側シールド３２に連結されておらず、すなわち上流側シールド３２から離間されている。特に、側方シールド５１は、側方シールド３１ａ，３１ｂの厚さよりも大きな厚さを有しており、具体的には少なくとも約０．１μｍの厚さを有していると共に、下流側シールド１５から上流側シールド３２へ向かって約１．０μｍの範囲内まで延在している。
【００４９】
本実施の形態に係る垂直記録型磁気ヘッドでは、主磁極１３の周囲に下流側シールド１５と共に上流側シールド３２および２つの側方シールド５１を併せて備え、その側方シールド５１が下流側シールド１５に磁気的に連結されているので、上記第１の実施の形態と同様の作用により、情報の記録時において磁束漏れが発生しにくくなる。しかも、この場合には、側方シールド５１が十分な厚さを有しているため、上流側シールド３２に磁気的に連結されていないにもかかわらずに側方シールド５１において十分な磁気的シールド機能が確保される。したがって、本実施の形態では、やはり情報の記録時において記録磁界が広がることに起因してフリンジ磁界が発生しにくくなる結果、記録ビットが不安定になりにくくなるため、情報の記録時において磁束漏れが発生することを可能な限り抑制することができる。
【００５０】
また、本実施の形態に係る垂直記録型磁気ヘッドの磁束漏れの抑制方法では、主磁極１３の周囲に下流側シールド１５と共に上流側シールド３２および２つの側方シールド５１を併せて設け、その側方シールド５１を下流側シールド１５に磁気的に連結させるようにしたので、上記したように、情報の記録時において磁束漏れが発生しにくくなる。したがって、情報の記録時において記録磁界が広がることに起因してフリンジ磁界が発生しにくくなる結果、記録ビットが不安定になりにくくなるため、情報の記録時において磁束漏れが発生することを可能な限り抑制することができる。
【００５１】
なお、本実施の形態に係る垂直記録型磁気ヘッドに関する上記以外の構成、動作、作用、効果および変形例、ならびに垂直記録型磁気ヘッドの磁束漏れの抑制方法に関する上記以外の手順、作用、効果および変形例は、上記第１の実施の形態と同様である。
【実施例】
【００５２】
次に、本発明に関する実施例について説明する。
【００５３】
上記各実施の形態において説明した垂直記録型磁気ヘッド（図１〜図４参照）、すなわち下流側シールドと共に上流側シールドおよび側方シールドを併せて備えた垂直記録型磁気ヘッド（以下、単に「本発明の垂直記録型磁気ヘッド」という。）の磁束漏れ状況をシミュレーションして調べたところ、図５に示した結果が得られた。図５は、本発明の垂直記録型磁気ヘッドに関する主磁極近傍の磁界強度分布を表しており、「横軸」はダウントラックポジション（μｍ）を示し、「縦軸」はクロストラックポジション（μｍ）を示している。「ダウントラックポジション」とは、主磁極の位置を基準としたときのメディアのトラック方向（ダウントラック方向）における位置を示しており、一方、「クロストラックポジション」とは、同様に主磁極の位置を基準としたときのメディアのトラック方向と交差する方向（クロストラック方向）における位置を示している。本発明の垂直記録型磁気ヘッドの磁束漏れ状況を調べる際には、ダウントラックポジションおよびクロストラックポジションに基づいて特定される主磁極近傍の各位置ごとに磁界強度を調べることにより、その磁界強度をプロットした。図５中に示した曲線は磁界強度の分布を表しており、その曲線に付した数字は磁界強度（単位；テスラ（Ｔ））を示している。
【００５４】
なお、本発明の垂直記録型磁気ヘッドの磁束漏れ状況を調べる際には、その磁束漏れ状況を評価するために、下流側シールドを備えていない従来の垂直記録型磁気ヘッドの磁束漏れ状況を同様に調べることにより、その結果を図６に示すと共に、下流側シールドのみを備えた他の従来の垂直記録型磁気ヘッド（図８参照）の磁束漏れ状況も同様に調べることにより、その結果を図７に示した。
【００５５】
図６に示した結果から判るように、下流側シールドを備えていない従来の垂直記録型磁気ヘッドでは、主磁極を中心とした上流側、下流側および左右の側方側の全てにおいて磁界強度が一様に大きくなった。すなわち、従来の垂直記録型磁気ヘッドでは、主磁極を中心とした上流側、下流側および左右の側方側の全てにおいて磁束漏れ（フリンジ磁界の発生量）が一様に大きくなった。
【００５６】
また、図７に示した結果から判るように、下流側シールドのみを備えた他の従来の垂直記録型磁気ヘッドでは、主磁極を中心とした上流側および左右の側方側において磁界強度が大きくなったのに対して、下流側において磁界強度が局所的に小さくなった。すなわち、他の従来の垂直記録型磁気ヘッドでは、下流側シールドの磁気的シールド機能に基づいて、主磁極の下流側において磁束漏れが抑制された。しかしながら、他の従来の垂直記録型磁気ヘッドでは、主磁極の下流側において磁束漏れ（フリンジ磁界の発生量）が抑制された一方で、上流側および左右の側方側において未だ磁束漏れが大きいため、フリンジ磁界が上流側の隣接トラックの記録ビットに影響を及ぼしやすくなる。この場合には、上流側の隣接トラックに供給される最大磁界強度が全磁界強度のうちの２０％を占めることとなるため、熱環境中において記録ビットがランダム化しやすくなる。この記録ビットのランダム化は、面記録密度を高密度化する上で好ましくない。
【００５７】
これに対して、図５に示した結果から判るように、下流側シールドと共に上流側シールドおよび側方シールドを併せて備えた本発明の垂直記録型磁気ヘッドでは、主磁極を中心とした上流側、下流側および左右の側方側の全てにおいて磁界強度が一様に小さくなった。すなわち、本発明の垂直記録型磁気ヘッドでは、下流側シールド、上流側シールドおよび側方シールドのそれぞれの磁気的シールドに基づいて、主磁極の上流側、下流側および左右の側方側の全てにおいて磁束漏れ（フリンジ磁界の発生量）が抑制された。具体的には、本発明の垂直記録型磁気ヘッドでは、主磁極の上流側、下流側および左右の側方側の全てにおいて磁束漏れ（フリンジ磁界の強度）が全磁界強度のうちの１０％未満に抑制されたと共に、この磁束漏れの抑制に基づいて記録磁界（垂直磁界）の強度が１２０００×１０3 ／（４π）Ａ／ｍ（＝１２ｋＯｅ）に至った。このことから、本発明の垂直記録型磁気ヘッドでは、主磁極を中心とした上流側、下流側および左右の側方側の全てにおいて磁束漏れが一様に抑制されるため、情報の記録時において磁束漏れが発生することが可能な限り抑制されることが確認された。
【００５８】
以上、いくつかの実施の形態および実施例を挙げて本発明を説明したが、本発明は上記各実施の形態および実施例に限定されず、種々の変形が可能である。具体的には、例えば、上記各実施の形態および実施例において説明した垂直記録型磁気ヘッドの構成、ならびに垂直記録型磁気ヘッドの磁束漏れの抑制方法の手順は、主磁極の周囲に下流側シールドと共に上流側シールドおよび側方シールドを併せて設け、それらの下流側シールド、上流側シールドおよび側方シールドのそれぞれの磁気的シールド機能に基づいて磁束漏れを抑制することが可能な限り、自由に変形可能である。
【産業上の利用可能性】
【００５９】
本発明に係る垂直記録型磁気ヘッドの磁束漏れの抑制方法、ならびに垂直記録型磁気ヘッドは、例えば、ハードディスクなどの磁気記録装置に搭載される垂直記録型磁気ヘッドに適用することが可能である。
【図面の簡単な説明】
【００６０】
【図１】本発明の第１の実施の形態に係る垂直記録型磁気ヘッドの断面構成の概略を表す断面図である。
【図２】図１に示した垂直記録型磁気ヘッドのうちの主磁極の近傍構造の平面構成を拡大して表す平面図である。
【図３】図１に示した垂直記録型磁気ヘッドのうちの主磁極の近傍構造の断面構成を拡大して表す断面図である。
【図４】本発明の第２の実施の形態に係る垂直記録型磁気ヘッドのうちの主磁極の近傍構造の断面構成を拡大して表す断面図である。
【図５】本発明の垂直記録型磁気ヘッドに関する主磁極近傍の磁界強度分布を表す図である。
【図６】従来の垂直記録型磁気ヘッドに関する主磁極近傍の磁界強度分布を表す図である。
【図７】他の従来の垂直記録型磁気ヘッドに関する主磁極近傍の磁界強度分布を表す図である。
【図８】従来の垂直記録型磁気ヘッドの断面構成の概略を表す断面図である。
【符号の説明】
【００６１】
１０Ａ…再生ヘッド部、１０Ｂ…記録ヘッド部、１１…磁気ヨーク、１２…磁界コイル、１３…主磁極、１４…リターン磁極、１５…下流側シールド、１６…ＳＵＬ、１７…記録層、１８…再生ヘッドシールド、１９…再生ヘッド、２０…メディア、３０…エアベアリング面、３１ａ，３１ｂ，５１…側方シールド、３２…上流側シールド、ｇ１…ギャップ、ｓ…距離。
【図１】
2005122887.tif 000003
【図２】
2005122887.tif 000004
【図３】
2005122887.tif 000005
【図４】
2005122887.tif 000006
【図５】
2005122887.tif 000007
【図６】
2005122887.tif 000008
【図７】
2005122887.tif 000009
【図８】
2005122887.tif 000010